(57)【要約】【課題】内容器を簡素な構成としつつ外容器から内容器を容易に取り外すことができる二重容器を提供する。【解決手段】内容物Ｃが充填された有底筒状の内容器１０と、内容器１０を内側に収納する筒状収納部２２を備えた外容器２０とを有し、内容器１０が外容器２０に対して着脱自在である二重容器１であって、筒状収納部２２に一体に設けられ、一端が固定端となり、他端が筒状収納部２２の内側に向けて変位可能な自由端となる弾性変形自在の板状押圧片４１と、内容器１０に設けられ、板状押圧片４１に設けられた押圧面４３に対向して配置される被押圧面１６と、を有し、押圧面４３及び被押圧面１６の少なくとも何れか一方が傾斜面に形成され、板状押圧片４１の自由端を筒状収納部２２の内側に向けて押し込むことにより、押圧面４３と被押圧面１６とが互いに摺接して、内容器１０が外容器２０から上方に押し出されることを特徴とする二重容器１。【選択図】図１
2018108834.tif 000002
【特許請求の範囲】
【請求項１】
内容物が充填された有底筒状の内容器と、前記内容器を内側に収納する筒状収納部を備えた外容器とを有し、前記内容器が前記外容器に対して着脱自在である二重容器であって、
前記筒状収納部に一体に設けられ、一端が固定端となり、他端が前記筒状収納部の内側に向けて変位可能な自由端となる弾性変形自在の板状押圧片と、
前記内容器に設けられ、前記板状押圧片に設けられた押圧面に対向して配置される被押圧面と、を有し、
前記押圧面及び前記被押圧面の少なくとも何れか一方が傾斜面に形成され、
前記板状押圧片の自由端を前記筒状収納部の内側に向けて押し込むことにより、前記押圧面と前記被押圧面とが互いに摺接して、前記内容器が前記外容器から上方に押し出されることを特徴とする二重容器。
【請求項２】
前記板状押圧片は、上端が固定端、下端が自由端となり、前記内容器の側面の下端部分に前記被押圧面が形成されている、請求項１に記載の二重容器。
【請求項３】
前記押圧面と前記被押圧面の両方が傾斜面に形成されている、請求項１または２に記載の二重容器。
【請求項４】
前記外容器は、前記筒状収納部と一体に形成されて該筒状収納部の下端を閉塞する底壁を備える、請求項１〜３の何れか１項に記載の二重容器。
【請求項５】
前記外容器は、前記筒状収納部に一体に連なり該筒状収納部から外側に向けて延びる連結壁と、前記連結壁に一体に連なり、前記筒状収納部の外側に間隔を空けて配置されて前記板状押圧片を覆う外側筒状壁とを有する、請求項１〜４の何れか１項に記載の二重容器。
【請求項６】
前記筒状収納部に、該筒状収納部の軸心を挟んで対向して、一対の前記板状押圧片が設けられている、請求項１〜５の何れか１項に記載の二重容器。
【請求項７】
前記内容器の側面に、該側面から突出するとともに上下方向に延びる帯状突部が一体に設けられ、該帯状突部の下端に前記被押圧面が設けられている、請求項１〜６の何れか１項に記載の二重容器。
【発明の詳細な説明】
【技術分野】
【０００１】
本発明は、内容物が充填された有底筒状の内容器と、内容器を内側に収納する筒状収納部を備えた外容器とを有し、内容器が外容器に対して着脱自在である二重容器に関する。
【背景技術】
【０００２】
従来、クリーム状の化粧料等の内容物を収容する容器として、内容物が充填された有底筒状の内容器と、内容器を内側に収納する筒状収納部を備えた外容器とを有し、内容器が外容器に対して着脱自在である二重容器が知られている。このような二重容器では、内容物を使い切った後、空になった内容器を外容器から取り外し、内容物が充填された新たなレフィル用の内容器に交換することで、外容器の再利用を図ることができる。
【０００３】
内容器の交換に際し、内容器を外容器から取り外すために、二重容器には着脱機構が設けられる。例えば特許文献１では、内容器に、押圧操作により上端を支点として容器内側に向けて変位可能な板状押圧片を設け、外容器に、該板状押圧片を露出させる切欠き部を設けると共に該板状押圧片が係止可能な被係止部を設けた構成の着脱機構が提案されている。この着脱機構によれば、板状押圧片を径方向内側に押圧したまま内容器を上方に引き抜くことで、内容器を外容器から取り外すことができる。また、新たな内容器を取り付けたときには、係止部を被係止部に係合させて内容器を外容器に保持させることができる。
【先行技術文献】
【特許文献】
【０００４】
【特許文献１】特開２０１０−１９５４８４号公報
【発明の概要】
【発明が解決しようとする課題】
【０００５】
上記二重容器においては、レフィル容器として構成される使い捨ての内容器のコストを低減するために、当該内容器の構成を簡素化することが求められている。
【０００６】
しかしながら、上記従来の二重容器では、着脱機構を構成する板状押圧片を内容器に設けるようにしているので、内容器の構造が複雑となり、流通時等において前記板状押圧片に変形や損傷が生じる懸念があった。
【０００７】
また、上記従来の二重容器では、外容器から内容器を取り外す際には、板状押圧片を押圧しつつ内容器を引き上げる必要があるので、その取り外し作業が煩雑であるという問題点もあった。
【０００８】
本発明は、このような問題点を解決することを課題とするものであり、その目的は、内容器を簡素な構成としつつ外容器から内容器を容易に取り外すことができる二重容器を提供することにある。
【課題を解決するための手段】
【０００９】
本発明の二重容器は、内容物が充填された有底筒状の内容器と、前記内容器を内側に収納する筒状収納部を備えた外容器とを有し、前記内容器が前記外容器に対して着脱自在である二重容器であって、前記筒状収納部に一体に設けられ、一端が固定端となり、他端が前記筒状収納部の内側に向けて変位可能な自由端となる弾性変形自在の板状押圧片と、前記内容器に設けられ、前記板状押圧片に設けられた押圧面に対向して配置される被押圧面と、を有し、前記押圧面及び前記被押圧面の少なくとも何れか一方が傾斜面に形成され、前記板状押圧片の自由端を前記筒状収納部の内側に向けて押し込むことにより、前記押圧面と前記被押圧面とが互いに摺接して、前記内容器が前記外容器から上方に押し出されることを特徴とする。
【００１０】
本発明の二重容器は、上記構成において、前記板状押圧片は、上端が固定端、下端が自由端となり、前記内容器の側面の下端部分に前記被押圧面が形成されているのが好ましい。
【００１１】
本発明の二重容器は、上記構成において、前記押圧面と前記被押圧面の両方が傾斜面に形成されているのが好ましい。
【００１２】
本発明の二重容器は、上記構成において、前記外容器は、前記筒状収納部と一体に形成されて該筒状収納部の下端を閉塞する底壁を備えるのが好ましい。
【００１３】
本発明の二重容器は、上記構成において、前記外容器は、前記筒状収納部に一体に連なり該筒状収納部から外側に向けて延びる連結壁と、前記連結壁に一体に連なり、前記筒状収納部の外側に間隔を空けて配置されて前記板状押圧片を覆う外側筒状壁とを有するのが好ましい。
【００１４】
本発明の二重容器は、上記構成において、前記筒状収納部に、該筒状収納部の軸心を挟んで対向して、一対の前記板状押圧片が設けられているのが好ましい。
【００１５】
本発明の二重容器は、上記構成において、前記内容器の側面に、該側面から突出するとともに上下方向に延びる帯状突部が一体に設けられ、該帯状突部の下端に前記被押圧面が設けられているのが好ましい。
【発明の効果】
【００１６】
本発明によれば、内容器を簡素な構成としつつ外容器から内容器を容易に取り外すことができる二重容器を提供することができる。
【図面の簡単な説明】
【００１７】
【図１】本発明の一実施の形態に係る二重容器の正面視での半断面図である。
【図２】図１に示す二重容器の側面視での半断面図である。
【図３】図１に示す内容器の空の状態での側面図である。
【図４】（ａ）は図３に示す内容器の平面図であり、（ｂ）は同底面図である。
【図５】（ａ）は図１に示す外容器の平面図であり、（ｂ）は同底面図である。
【図６】板状押圧片を押し込んで内容器を外容器から取り出す様子を示す説明図である。
【発明を実施するための形態】
【００１８】
以下、図面を参照しつつ、本発明の一実施の形態に係る二重容器１について詳細に例示説明する。
【００１９】
なお、本明細書及び特許請求の範囲において、上下方向とは、二重容器１を図１に示す正立姿勢としたときにおける上下方向を意味するものとする。
【００２０】
図１、図２に示すように、本実施形態に係る二重容器１は、内容器１０、外容器２０、キャップ３０及び取出し機構４０を有している。
【００２１】
内容器１０は、レフィル用の容器であり、図３、図４に示すように、円筒状の側壁部１１と底部１２とを備えた有底筒状に形成されている。内容器１０の内部には、例えばクリーム状の化粧料等の内容物Ｃが充填されている。内容器１０の開口端はシール材１３により密封されており、使用の際には、シール材１３を引き剥がして内容器１０を開封することができる。
【００２２】
内容器１０の開口端にはフランジ１４が一体に設けられている。また、内容器１０における側壁部１１の外周面には、それぞれ該側面から径方向外側に所定の厚みで突出するとともに上下方向に延び、内容器１０の軸心を挟んで対向する一対の帯状突部１５が一体に設けられている。一対の帯状突部１５は、それぞれフランジ１４に一体に連なる幅広部１５ａと、幅広部１５ａよりも周方向幅及び突出高さが小さく形成されて該幅広部１５ａの下端に一体に連なる幅狭部１５ｂとを有している。幅狭部１５ｂは内容器１０の底部１２にまで延び、その下端は底部１２に隣接している。
【００２３】
幅狭部１５ｂの下端には、それぞれ被押圧面１６が形成されている。被押圧面１６は、下方から上方に向けて徐々に内容器１０の軸心から径方向外側に向けて離れる方向に傾斜する平坦な傾斜面に形成されている。被押圧面１６は、内容器１０の側面の下端部分に設けられているので、内容器１０の底部１２に隣接している。
【００２４】
幅広部１５ａの外周面には雄ねじ１７が一体に形成されている。この雄ねじ１７はキャップ３０を装着するためのものである。雄ねじ１７は幅広部１５ａの周方向幅の範囲内で延び、外容器２０に設けられた雄ねじ２１（図２参照）に連ねられている。
【００２５】
図１に示すように、外容器２０は、筒状収納部２２と、筒状収納部２２と一体に形成されて筒状収納部２２の下端を閉塞する底壁２３とを有する有底筒状に形成されている。外容器２０は、この筒状収納部２２の内側に内容器１０を収納している。内容器１０は外容器２０に対して着脱自在となっている。すなわち、内容物Ｃが空になった後等において、内容器１０を外容器２０の筒状収納部２２から取り出すことができるとともに、新たな内容器１０を筒状収納部２２の内側に挿入して当該筒状収納部２２の内側に収納させることができる。
【００２６】
図２に示すように、内容器１０は、フランジ１４が筒状収納部２２の上端に当接することで、筒状収納部２２に対して上下方向に位置決めされている。このとき、内容器１０の底部１２と外容器２０の底壁２３との間には僅かに隙間が生じている。また、内容器１０は、その側壁部１１の外周面に形成された環状の被係止凸部１１ａが筒状収納部２２の内周面に形成された係止凸部２２ｃにアンダーカット係合するとともに、幅広部１５ａと幅狭部１５ｂとの間の段差部分が外容器２０の筒状収納部２２の内周面に形成された上向き段部２２ｄに配置された状態となって、外容器２０に固定されている。
【００２７】
図１に示すように、筒状収納部２２の上下方向中間部位には、筒状収納部２２に一体に連なるとともに筒状収納部２２から径方向外側に向けて延びる連結壁２４が一体に設けられている。筒状収納部２２の連結壁２４よりも上方側の部分は、略円筒状の雄ねじ形成部２２ａとなっており、この雄ねじ形成部２２ａの外周面に前述の雄ねじ２１が一体に設けられている。この雄ねじ２１は、内容器１０に設けられた雄ねじ１７と対応するピッチないし形状を有する。また、雄ねじ形成部２２ａには、周方向の所定範囲が切り欠かれて一対の切欠き部２５が設けられ、これらの切欠き部２５に内容器１０の幅広部１５ａが嵌め込まれている。一方、筒状収納部２２の連結壁２４よりも下方側の部分は、本体部２２ｂとなっている。
【００２８】
図５に示すように、連結壁２４は平面視で略楕円形状の外形形状を有する板状に形成されている。そして、連結壁２４の外周縁には外側筒状壁２６が一体に連ねて設けられている。外側筒状壁２６は、連結壁２４に対応して平面視で楕円形状となる断面を有する筒状に形成され、筒状収納部２２の本体部２２ｂの径方向外側に間隔を空けて配置されている。したがって、本体部２２ｂの外側には、当該本体部２２ｂと連結壁２４及び外側筒状壁２６とにより、下方が開口した操作空間Ｓが区画形成されている。なお、連結壁２４と筒状収納部２２の本体部２２ｂと外側筒状壁２６は、図２に示すように、連結壁２４の短径部分２７において一体化されている。
【００２９】
筒状収納部２２の本体部２２ｂとなる部分には、当該本体部２２ｂと一体に、一対の板状押圧片４１が設けられている。これら一対の板状押圧片４１は、筒状収納部２２の軸心を挟んで対向して配置されている。また、これら一対の板状押圧片４１は、それぞれ平坦で弾性変形自在な板状に形成され、その上端において本体部２２ｂに一体に連なるとともに下端と両側部とが切欠き溝によって本体部２２ｂから分離されている。したがって、それぞれの板状押圧片４１は、その上端が固定端となり、下端が筒状収納部２２の内側に向けて変位可能な自由端となって、当該自由端が筒状収納部２２の内側に向けて変位するように弾性変形自在となっている。
【００３０】
外側筒状壁２６が、筒状収納部２２の本体部２２ｂの径方向外側に間隔を空けて配置されることにより、板状押圧片４１は連結壁２４及び外側筒状壁２６により覆われている。このような構成により、二重容器１を正立姿勢とした状態において、板状押圧片４１を外部から視認し難くすることができるので、この二重容器１の美観を高めることができるとともに、誤操作を防止することができる。
【００３１】
板状押圧片４１の内側面には、当該内側面から突出するブロック状の押圧部４２が一体に設けられ、押圧部４２の径方向内側を向く面には押圧面４３が設けられている。押圧面４３は、下方から上方に向けて徐々に内容器１０の軸心から径方向外側に向けて離れる方向に傾斜する平坦な傾斜面に形成され、被押圧面１６に所定の間隔を空けて対向して配置されている。なお、本実施の形態においては、押圧面４３の傾斜角度は、被押圧面１６の傾斜角度と略同一とされているが、その角度は種々変更可能である。
【００３２】
このような押圧面４３を備えた板状押圧片４１と被押圧面１６とにより、二重容器１には取出し機構４０が構成されている。そして、この取出し機構４０を操作することにより、内容器１０を外容器２０から容易に取り出すことができる。
【００３３】
上記した、板状押圧片４１は、例えば外容器２０を、金型を用いた樹脂材料の射出成形により一体成形する際に、食い切り等の手法を用いて外容器２０に一体に形成することができる。
【００３４】
キャップ３０は、有頂筒状に形成され、雌ねじ３１において外容器２０雄ねじ形成部２２ａに形成された雄ねじ２１にねじ結合して外容器２０に着脱自在に装着される。シール材１３を取り外して内容器１０を開封した後でも、キャップ３０を装着することで、内容器１０の開口を閉塞することができる。また、雌ねじ３１は外容器２０の雄ねじ２１に加えて内容器１０の幅広部１５ａに形成された雄ねじ１７にもねじ結合するので、キャップ３０が装着された状態においては、内容器１０はキャップ３０を介して外容器２０に固定されることになる。これにより、不使用時において内容器１０が外容器２０から不意に離脱することを防止することができる。
【００３５】
上記構成を有する二重容器１では、内容物Ｃを使い切った際などに、以下の要領で、空となった内容器１０を内容物Ｃが充填されている新たな内容器１０と交換することができる。
【００３６】
まず、外容器２０からキャップ３０を取り外した状態とし、次いで、操作空間Ｓに指を挿入して板状押圧片４１の自由端を筒状収納部２２の内側（径方向内側）に向けて押し込む。これにより、図６に示すように、板状押圧片４１に設けられた押圧面４３と内容器１０に設けられた被押圧面１６とが互いに摺接し、押圧面４３の径方向内側への変位が押圧面４３と被押圧面１６との摺接により上方へ向かう力に変換され、内容器１０は外容器２０に対して上方に押し出されることになる。そして、上方に押し出された内容器１０のフランジ１４を把持して内容器１０を上方に引き上げることで、使用済みの内容器１０を容易に外容器２０から取り外すことができる。
【００３７】
次に、新たな内容器１０を外容器２０に取り付ける際には、未使用の状態の内容器１０を、外容器２０の筒状収納部２２にその開口から挿入し、フランジ１４が外容器２０の雄ねじ形成部２２ａの上端に当接する位置にまで押し込むことで容易に装着することができる。
【００３８】
このように、本実施の形態に係る二重容器１では、内容器１０の交換に際して、外容器２０に設けた板状押圧片４１を内側に押し込むだけの簡単な操作で、内容器１０を外容器２０から容易に取り外すことができる。また、内容器１０を外容器２０から取り外すための板状押圧片４１を外容器２０に設けるようにしたので、レフィル容器として構成されて使い捨てされる内容器１０の構成を簡素化することができる。
【００３９】
また、外容器２０の内容器１０を挟んだ両側に一対の板状押圧片４１を設けるようにしたので、これらの板状押圧片４１を、内容器１０を挟み込むように押圧操作することで、内容器１０をその両側において均等に上方に押し出して、より確実かつ容易に内容器１０を外容器２０から押し出すことができる。
【００４０】
本発明は前記実施の形態に限定されるものではなく、その要旨を逸脱しない範囲で種々変更可能であることはいうまでもない。
【００４１】
例えば、前記実施の形態においては、内容器１０の側壁部１１や外容器２０の筒状収納部２２を円筒状に形成するようにしているが、これに限らず、楕円形状や多角形状等、他の形状としてもよい。
【００４２】
また、前記実施の形態においては、内容器１０に一対の被押圧面１６を設け、外容器２０に一対の板状押圧片４１を設けるようにしているが、これに限らず、これらは少なくとも１つ設けられていればよく、また、３以上設けるようにしてもよい。
【００４３】
さらに、前記実施の形態においては、被押圧面１６及び押圧面４３を平坦な傾斜面に形成するようにしているが、これに限らず、互いの摺接により径方向内側に向く力を上方に向く力に変換することができるものであれば、例えば傾斜角度が徐々に変化するように湾曲した面などの他の形状の面に形成してもよい。
【符号の説明】
【００４４】
１    二重容器
１０    内容器
１１    側壁部
１１ａ  被係止凸部
１２    底部
１３    シール材
１４    フランジ
１５    帯状突部
１５ａ  幅広部
１５ｂ  幅狭部
１６    被押圧面
１７    雄ねじ
２０    外容器
２１    雄ねじ
２２    筒状収納部
２２ａ  雄ねじ形成部
２２ｂ  本体部
２２ｃ  係止凸部
２２ｄ  上向き段部
２３    底壁
２４    連結壁
２５    切欠き部
２６    外側筒状壁
２７    短径部分
３０    キャップ
３１    雌ねじ
４０    取出し機構
４１    板状押圧片
４２    押圧部
４３    押圧面
Ｃ    内容物
Ｓ    操作空間
【図１】
2018108834.tif 000003
【図２】
2018108834.tif 000004
【図３】
2018108834.tif 000005
【図４】
2018108834.tif 000006
【図５】
2018108834.tif 000007
【図６】
2018108834.tif 000008